(57)【要約】【課題】  ハウスのアーチパイプを部分的に補強する場合に、容易に補強作業をすることが可能な補強部材を提供する。【解決手段】  補強部材７は、アーチパイプ３が挿通する第１挿通部１５と、第１補強用パイプ５1及び第２補強用パイプ５2がそれぞれ挿通する第２挿通部１７及び第３挿通部１９を有する。第１補強用パイプ５1及び第２補強用パイプ５2は、一端が地中に埋設される。補強部材７を使用して、アーチパイプ３と第１補強用パイプ５1と第２補強用パイプ５2を固定する。各パイプを挿通する挿通部が独立に設けられていることから、固定作業が容易である。第１補強用パイプ５1及び第２補強用パイプ５2は、アーチパイプ３の両側にある。【選択図】  図１
2018093751.tif 000002
【特許請求の範囲】
【請求項１】
ハウスのアーチパイプを補強する補強部材であって、
地際部側が切断された前記アーチパイプが挿通する第１挿通部と、
一端が埋設された補強用パイプが挿通する第２挿通部を備え、
前記第１挿通部は、前記補強用パイプが挿通しないことにより、前記補強用パイプとは独立に前記アーチパイプを固定し、
前記第２挿通部は、前記アーチパイプが挿通しないことにより、前記アーチパイプとは独立に前記補強用パイプを固定し、
前記第１挿通部及び前記第２挿通部は、前記アーチパイプ及び前記補強用パイプを並列に固定する、補強部材。
【請求項２】
ハウスのアーチパイプを補強する補強部材であって、
地際部側が切断された前記アーチパイプが挿通する第１挿通部と、
一端が埋設された第１補強用パイプが挿通する第２挿通部と、
一端が埋設された第２補強用パイプが挿通する第３挿通部を備え、
前記第２挿通部及び前記第３挿通部の間に前記第１挿通部があり、前記第１挿通部、前記第２挿通部及び前記第３挿通部は、前記アーチパイプの両側に前記第１補強用パイプ及び前記第２補強用パイプがある状態で並列に固定する、補強部材。
【請求項３】
ハウスのアーチパイプを補強する補強システムであって、
一端が埋設された第１補強用パイプと、
一端が埋設された第２補強用パイプと、
第１補強部材と、
第２補強部材を備え、
前記第１補強部材及び前記第２補強部材は、
前記アーチパイプが挿通する第１挿通部と、
前記第１補強用パイプが挿通する第２挿通部と、
前記第２補強用パイプが挿通する第３挿通部を備え、
前記第２挿通部及び前記第３挿通部の間に前記第１挿通部があり、前記第１挿通部、前記第２挿通部及び前記第３挿通部は、前記アーチパイプの両側に前記第１補強用パイプ及び前記第２補強用パイプがある状態で並列に固定し、
前記第１補強部材及び前記第２補強部材は、離れて前記アーチパイプと前記第１補強用パイプと前記第２補強用パイプを固定する、補強システム。
【発明の詳細な説明】
【技術分野】
【０００１】
本願発明は、補強部材及び補強システムに関し、特に、ハウスのアーチパイプを補強する補強部材等に関する。
【背景技術】
【０００２】
特許文献１には、アーチパイプよりも内側に、基部を地中に埋設した柱パイプを配置し、柱パイプの上端に屋根パイプを連結して補強パイプとし、アーチパイプと補強パイプを連結金具で連結してパイプハウスを補強することが記載されている。
【先行技術文献】
【特許文献】
【０００３】
【特許文献１】特開２００７−３００８２６号公報
【発明の概要】
【発明が解決しようとする課題】
【０００４】
しかしながら、特許文献１記載の手法は、柱パイプと屋根パイプを連結した補強パイプによって、パイプハウス全体を補強するものである。そのため、例えばアーチパイプの地際部が腐食して強度が不足した場合のように、設置後に部分的に補強するには過剰なものである。
【０００５】
特に、特許文献１記載の手法で使用される連結金具は、連結ボルトを使用して補強パイプとアーチパイプを同時に固定する。これは、補強パイプとアーチパイプが、共に一端が地中に埋設されて十分に固定されているならば、容易に連結することができる。しかしながら、例えば、アーチパイプの地際部が腐食して強度が不足した場合では、アーチパイプが十分に固定できておらず、固定作業にともなって動いてしまう。そのため、補強パイプとアーチパイプを同時に固定する作業は、困難なものになることが予想される。
【０００６】
そこで、本願発明は、ハウスのアーチパイプを部分的に補強する場合に、容易に補強作業をすることが可能な補強部材等を提供することを目的とする。
【課題を解決するための手段】
【０００７】
本願発明の第１の観点は、ハウスのアーチパイプを補強する補強部材であって、地際部側が切断された前記アーチパイプが挿通する第１挿通部と、一端が埋設された補強用パイプが挿通する第２挿通部を備え、前記第１挿通部は、前記補強用パイプが挿通しないことにより、前記補強用パイプとは独立に前記アーチパイプを固定し、前記第２挿通部は、前記アーチパイプが挿通しないことにより、前記アーチパイプとは独立に前記補強用パイプを固定し、前記第１挿通部及び前記第２挿通部は、前記アーチパイプ及び前記補強用パイプを並列に固定するものである。
【０００８】
本願発明の第２の観点は、ハウスのアーチパイプを補強する補強部材であって、地際部側が切断された前記アーチパイプが挿通する第１挿通部と、一端が埋設された第１補強用パイプが挿通する第２挿通部と、一端が埋設された第２補強用パイプが挿通する第３挿通部を備え、前記第２挿通部及び前記第３挿通部の間に前記第１挿通部があり、前記第１挿通部、前記第２挿通部及び前記第３挿通部は、前記アーチパイプの両側に前記第１補強用パイプ及び前記第２補強用パイプがある状態で並列に固定するものである。
【０００９】
本願発明の第３の観点は、ハウスのアーチパイプを補強する補強システムであって、一端が埋設された第１補強用パイプと、一端が埋設された第２補強用パイプと、第１補強部材と、第２補強部材を備え、前記第１補強部材及び前記第２補強部材は、前記アーチパイプが挿通する第１挿通部と、前記第１補強用パイプが挿通する第２挿通部と、前記第２補強用パイプが挿通する第３挿通部を備え、前記第２挿通部及び前記第３挿通部の間に前記第１挿通部があり、前記第１挿通部、前記第２挿通部及び前記第３挿通部は、前記アーチパイプの両側に前記第１補強用パイプ及び前記第２補強用パイプがある状態で並列に固定し、前記第１補強部材及び前記第２補強部材は、離れて前記アーチパイプと前記第１補強用パイプと前記第２補強用パイプを固定するものである。
【発明の効果】
【００１０】
本願発明の各観点によれば、アーチパイプの地際部側が切断され、補強部材が、第１挿通部にアーチパイプを挿通して保持するとともに、第２挿通部に少なくとも一つの補強用パイプを挿通し、補強用パイプの一端を埋設して補強部材に固定することにより、補強部材にアーチパイプを固定する作業と補強用パイプを固定する作業を独立に行うことができ、設置後のハウスにおいて、アーチパイプを部分的に補強する作業が容易になる。さらに、腐食した地際部側を切断するため、腐食部を除くことができ、いわゆる「もらい錆」のように、アーチパイプの腐食部が補強用パイプを腐食させることを防止した補強をすることができる。
【００１１】
さらに、本願発明の第２の観点によれば、第１挿通部にアーチパイプを挿通して保持するとともに、第２挿通部及び第３挿通部に第１補強用パイプ及び第２補強用パイプを挿通して保持することにより、アーチパイプを第１補強用パイプと第２補強用パイプとの間で固定して、アーチパイプや第１補強用パイプ及び第２補強用パイプに様々な力がかかっても、強度に固定することができる。さらに、アーチパイプ並びに第１補強用パイプ及び第２補強用パイプは、他のアーチパイプと並列にすることができ、アーチパイプ間を接続する慣用の部品を継続して使用することができる。
【００１２】
さらに、本願発明の第３の観点によれば、複数の補強部材を使用して離して固定することにより、各補強部材の構成をシンプルにしつつ、固定の強度を増すことができる。
【図面の簡単な説明】
【００１３】
【図１】本願発明の実施の形態に係る補強部材の一例を示す図である。
【図２】本願発明において挿通部が２か所の場合と３か所の場合を比較するための図である。
【発明を実施するための形態】
【００１４】
以下、本願発明の実施の形態について説明する。なお、本願発明は、下記の実施例に限定されるものではない。
【実施例】
【００１５】
図１は、本願発明の実施の形態に係る補強部材の一例を示す図である。パイプハウス１において、２か所を補強している。
【００１６】
アーチパイプ３（本願請求項の「アーチパイプ」の一例）の地際部が腐食したとする。そのため、地際部側を切断する。これを、第１補強用パイプ５1（本願請求項の「第１補強用パイプ」、「補強用パイプ」の一例）及び第２補強用パイプ５2（本願請求項の「第２補強用パイプ」、「補強用パイプ」の一例）を用いて、補強部材７（本願請求項の「補強部材」の一例）により補強する。
【００１７】
図１（ｂ）は、補強部材７による固定個所の拡大図である。図１（ｃ）及び（ｄ）は、それぞれ、補強部材７の平面図及び正面図である。図１（ｃ）にあるように、補強部材７は、アーチパイプ３が挿通する第１挿通部１５（本願請求項の「第１挿通部」の一例）と、第１補強用パイプ５1及び第２補強用パイプ５2がそれぞれ挿通する第２挿通部１７（本願請求項の「第２挿通部」の一例）及び第３挿通部１９（本願請求項の「第３挿通部」の一例）を有する。第１挿通部１５、第２挿通部１７及び第３挿通部１９の側面には、ドリルネジのネジ穴があり、ドリルネジを使用して挿通するパイプを固定することができる。このように、各挿通部は、挿通したパイプを固定する固定部を有する。また、第２挿通部１７、第１挿通部１５及び第３挿通部１９の中心は、順に直線上にあり、第１挿通部１５の中心は、第２挿通部１７の中心と第３挿通部１９の中心との間にある。
【００１８】
図１（ｂ）を参照して、第１補強用パイプ５1及び第２補強用パイプ５2は、一端が地中に埋設される。他端側は、少なくとも補強部材７によりアーチパイプ３と第１補強用パイプ５1及び第２補強用パイプ５2が固定される部分は、並んでいる。アーチパイプ３の端は、腐食部を切り取ったために埋設されていない状態である。補強部材７を使用して、アーチパイプ３と第１補強用パイプ５1と第２補強用パイプ５2を固定する。ここで、各パイプを挿通する挿通部が独立に設けられていることから、例えば、アーチパイプ３を挿通してドリルネジで固定し、その後に、第１補強用パイプ５1と第２補強用パイプ５2を挿通して地面に叩き入れ、そして、ドリルネジで固定する。そのため、各パイプを通して固定する作業を独立に行うことができ、固定作業が容易である。第１補強用パイプ５1及び第２補強用パイプ５2は、アーチパイプ３の両側に並んで設けられる。
【００１９】
また、補強用パイプ５は、アーチパイプ３と他のアーチパイプとの間にある。そのため、アーチパイプ間を接続する部材を利用して、補強用パイプ５と他のアーチパイプとを連結することができる。ここで、アーチパイプ３の地際部側が切断されているため、アーチパイプ３の下側に空間があり、補強用パイプ５と他のアーチパイプとを容易に連結することができる。
【００２０】
また、アーチパイプ９（本願請求項の「アーチパイプ」の一例）の地際部が腐食したとする。そのため、地際部側を切断する。これを、第１補強用パイプ１１1（本願請求項の「第１補強用パイプ」、「補強用パイプ」の一例）及び第２補強用パイプ１１2（本願請求項の「第２補強用パイプ」、「補強用パイプ」の一例）を用いて、補強部材１３1（本願請求項の「第１補強部材」、「補強部材」の一例）及び補強部材１３2（本願請求項の「第２補強部材」、「補強部材」の一例）により補強する。
【００２１】
図１（ｅ）は、補強部材１３による固定個所の拡大図である。図１（ｆ）及び（ｇ）は、それぞれ、補強部材１３の平面図及び正面図である。図１（ｆ）にあるように、補強部材１３は、アーチパイプ９が挿通する第１挿通部２１（本願請求項の「第１挿通部」の一例）と、第１補強用パイプ１１1及び第２補強用パイプ１１2がそれぞれ挿通する第２挿通部２３（本願請求項の「第２挿通部」の一例）及び第３挿通部２５（本願請求項の「第３挿通部」の一例）を有する。第１挿通部２１、第２挿通部２３及び第３挿通部２５の側面には、ネジ穴があり、ドリルネジを使用して挿通するパイプを固定することができる。補強部材１３の場合、複数個所で固定するため、ドリルネジのネジ穴は少なくすることができる。また、第２挿通部２３、第１挿通部２１及び第３挿通部２５の中心は、順に直線上にあり、第１挿通部２１の中心は、第２挿通部２３の中心と第３挿通部２５の中心との間にある。
【００２２】
図１（ｅ）を参照して、第１補強用パイプ１１1及び第２補強用パイプ１１2は、一端が地中に埋設される。他端側は、少なくとも補強部材１３によりアーチパイプ９と第１補強用パイプ１１1及び第２補強用パイプ１１2が固定される部分は、並んでいる。アーチパイプ９の端は、腐食部を切り取ったために埋設されていない状態である。補強部材１３1及び１３2を使用して、アーチパイプ９と第１補強用パイプ１１1と第２補強用パイプ１１2を固定する。補強部材１３1及び１３2は、離れて設けられており、アーチパイプ９と第１補強用パイプ１１1と第２補強用パイプ１１2を固定する長さを調整することができる。そのため、図１（ａ）にあるように、アーチパイプ９の上側などでも、強度に固定することができる。第１補強用パイプ１１1及び第２補強用パイプ１１2は、アーチパイプ９の両側に並んで設けられる。
【００２３】
図２を参照して、挿通部が２か所の場合と、３か所の場合を比較する。図２（ａ）〜（ｃ）は、挿通部が２か所の場合の一例を示す。図２（ｄ）〜（ｆ）は、挿通部が３か所の場合の一例を示す。
【００２４】
図２（ａ）〜（ｃ）を参照して、挿通部が２か所の場合について説明する。図２（ａ）にあるように、補強部材３１は、アーチパイプ３７を挿通するための第１挿通部３３と、補強用パイプ３９を挿通するための第２挿通部３５を備える。図２（ｂ）及び（ｃ）は、それぞれ、補強部材３１を使用してアーチパイプ３７と補強用パイプ３９を固定した状態の側面図及び正面図である。アーチパイプ３７と補強用パイプ３９には、様々な力がかかるが、図２（ｂ）及び（ｃ）によれば、左右に力が不均等になるため、補強部材３１を回転させる力がかかり、安定しない。
【００２５】
他方、図２（ｄ）〜（ｆ）を参照して、挿通部が３か所の場合について説明する。図２（ｄ）にあるように、補強部材４１は、アーチパイプ４９を挿通するための第１挿通部４３と、第１補強用パイプ５１及び第２補強用パイプ５３をそれぞれ挿通するための第２挿通部４５及び第３挿通部４７を備える。図２（ｅ）及び（ｆ）は、それぞれ、補強部材４１を使用してアーチパイプ４９と第１補強用パイプ５１と第２補強用パイプ５３を固定した状態の側面図及び正面図である。図２（ｅ）及び（ｆ）によれば、様々な力がかかっても、補強部材４１を回転させる力の発生を防ぎ、安定して支持することができる。
【符号の説明】
【００２６】
１  パイプハウス、３  アーチパイプ、５  補強用パイプ、７  補強部材、９  アーチパイプ、１１  補強用パイプ、１３  補強部材、１５  第１挿通部、１７  第２挿通部、１９  第３挿通部、２１  第１挿通部、２３  第２挿通部、２５  第３挿通部、３１  補強部材、３３  第１挿通部、３５  第２挿通部、３７  アーチパイプ、３９  補強用パイプ、４１  補強部材、４３  第１挿通部、４５  第２挿通部、４７  第３挿通部、４９  アーチパイプ、５１  第１補強用パイプ、５３  第２補強用パイプ
【図１】
2018093751.tif 000003
【図２】
2018093751.tif 000004